(57)【要約】  背上げの起伏動作を行う場合に、圧迫感を軽減すると同時に、軽量で搬送性がよく、清掃も簡単にできるベッド装置のボトムを提供する。  背上げ機構を有するベッド装置のボトムは、背ボトムと腰ボトムの間に配置され湾曲可能な湾曲ボトムを有する。背上げ動作の場合に、前記湾曲ボトムが、起き上がる背ボトムの表面上を下方に摺接しながら背ボトムと腰ボトムの間で湾曲する。
2014171253.tif 000002
【特許請求の範囲】
【請求項１】
背上げ機構を有するベッド装置のボトムであって、
背を支える背ボトムと腰を支える腰ボトムの間に湾曲可能な湾曲ボトムを備え、
前記湾曲ボトムは、前記背ボトムの表面に摺動可能に配置され、前記腰ボトムに連結固定されて、背上げ動作の場合に、起き上がる前記背ボトムの表面上を下方に摺動しながら前記背ボトムと前記腰ボトムの間で湾曲することを特徴とするベッド装置のボトム。
【請求項２】
前記背ボトムと前記湾曲ボトムには、摺動方向に長く形成された長穴と、それに嵌まって移動するピン体とのいずれかを互いに対応する位置に、それぞれ１個又は複数個設けたことを特徴とする請求項１に記載のベッド装置のボトム。
【請求項３】
前記背ボトムには、前記湾曲ボトムを収容して摺動させる凹みが形成されていることを特徴とする請求項１又は２に記載のベッド装置のボトム。
【請求項４】
前記湾曲ボトムは、断面台形の細長い棒状部が幅方向に沿って、かつ、長さ方向に複数配列され、各棒状部が薄肉部で連結された蛇腹状の折曲げ自在な構成であることを特徴とする請求項１から３のいずれか一項に記載のベッド装置のボトム。
【請求項５】
さらに、膝を支える膝ボトムと、足を支える足ボトムとを備え、
前記腰ボトム、前記膝ボトム、前記足ボトムも前記湾曲ボトムと同じ湾曲構造を有することを特徴とする請求項４に記載のベッド装置のボトム。
【発明の詳細な説明】
【技術分野】
【０００１】
本発明は、背上げ等の起伏動作を行う場合に、背中に対応する箇所から腰に対応する箇所にかけての屈曲箇所に配置して、適度な曲率で曲がるように構成したベッド装置のボトムに関するものである。
【背景技術】
【０００２】
背上げ、脚上げ等の起伏動作を行うベッドは、ボトムを、複数の部位、例えば背ボトム、腰ボトム、脚ボトム、足ボトムに分割し、それらを相互に屈曲可能に連結することにより、又はそれらの一部をボトムを支持するフレームに回動可能に支持することにより、それらを屈曲可能とした構成を基本的な構成としている。【０００３】
ところが、例えば、背ボトムと腰ボトムが単に支点の回りに回動して屈曲するような構成であると、ボトム上に支持されているマットレスが、背ボトムと腰ボトムにより圧縮力を受けるため、マットレス上に仰臥している患者等のベッド使用者に腹部の圧迫感等の不快感を与えるという不都合があり、このような不都合の発生をなくすための対策が従来から考えられている。【０００４】
本出願人においても、背ボトムと腰ボトム間の屈曲部分が、使用する人の身体の屈曲姿勢に適合するように、適度な曲率で湾曲するようにしたボトムの構造を種々提案している。例えば、本出願人による提案としては、特開平１１−８９８８６号公報に記載されているものがある。【０００５】
図９は、このような湾曲ボトムを有するベッドの一例を示す外観斜視図である。図１０は、このベッドに使用されている湾曲ボトムを示す外観斜視図である。図９に示すように、ベッド１００における湾曲ボトム１０２は、背ボトム１０１と腰ボトム１０３との間に配置されている。湾曲ボトム１０２は、一端部を背ボトム１０１に、他端部を腰ボトム１０３に連結している。図１０に示すように、湾曲ボトム１０２は、複数の短冊状部材１１３を順次連結して、それぞれ適宜角度屈曲可能として全体として適度な曲率の湾曲状態を得るように構成したものである。【０００６】
湾曲ボトム１０２では、短冊状部材１１３の長手方向の一方の側面に、先端に鉤状部を設けた係止突片１１４と、この係止突片１１４に適宜間隔をおいて係止突片１１４と平行なガイド片１１５とを、短冊状部材１１３の長手方向の一方の側面に渡って複数突設している。また、短冊状部材１１３の長手方向の他方の側面には、連結すべき隣の短冊状部材１１３における係止突片１１４およびガイド片１１５を受け入れる凹部を形成しており、この凹部はそれぞれ係止突片１１４およびガイド片１１５の寸法より若干大きい寸法に設定されている。また、短冊状部材１１３のベッド幅方向端面には、端面近傍に突設した係止突片１１４に平行に舌片１１８が一体的に突設されている。この舌片１１８は、短冊状部材１３のベッド幅方向端面側から、隣り合う短冊状部材１１３間に物や指を挟み込んだりしないように防止するためのものである。かかる舌片１１８は、隣りの短冊状部材１１３がこの短冊状部材１１３の凹部に係止突片１１４およびガイド片１１５を埋没させることで互いに接触状態とした際に、隣りの短冊状部材１１３における舌片１１８の先端側がこの短冊状部材１１３における舌片１１８の基部側に当接するようになっている。【０００７】
以上のような湾曲ボトム１０２を適用したベッド１００（図９参照）について、起伏動作を行うと、図１０に示すように各短冊状部材１１３は少しずつ互いに変位して、この結果湾曲ボトム１０２全体が適度な曲率で、ボトムの背中に対応する箇所から腰に対応する箇所にかけて配置された湾曲ボトム１０２にあっては、下に凸状に湾曲することができる。
【先行技術文献】
【特許文献】
【０００８】
【特許文献１】特開平１１−８９８８６号公報
【発明の概要】
【発明が解決しようとする課題】
【０００９】
しかしながら、上記湾曲ボトム１０２は、背ボトム１０１と腰ボトム１０３に端部を連結されており、背ボトム１０１が起伏動作をする場合には、その動きに合せて伸縮且つ屈曲するので、構造的には非常に複雑であり、どうしてもある程度の重さと厚みを有することになり、搬送性がよいとはいえない。また、係止突片１１４およびガイド片１１５などの伸縮構造が複雑であるために、一般の人が簡単に清掃できる構造とは言いがたい。【００１０】
特に、在宅介護用ベッドにおいては、レンタルによる使用も多く、一般家庭に簡単に搬入搬出できることは重要な要素で有り、さらに分解などの必要がなく、一般の利用者が簡単に清掃できることも重要である。【００１１】
本発明は、斯かる実情に鑑み、背上げの起伏動作を行う場合に、圧迫感や窮屈感を軽減すると同時に、軽量で搬送性がよく、清掃も簡単にできるベッド装置のボトムを提供することを目的とするものである。
【課題を解決するための手段】
【００１２】
本発明は、背上げ機構を有するベッド装置のボトムであって、背を支える背ボトムと腰を支える腰ボトムの間に湾曲可能な湾曲ボトムを備え、前記湾曲ボトムは、前記背ボトムの表面に摺動可能に配置され、前記腰ボトムに連結固定されて、背上げ動作の場合に、起き上がる前記背ボトムの表面上を下方に摺動しながら前記背ボトムと前記腰ボトムの間で湾曲することを特徴とする。【００１３】
また、本発明のベッド装置のボトムにおいて、前記背ボトムと前記湾曲ボトムには、摺動方向に長く形成された長穴と、それに嵌まって移動するピン体とのいずれかを互いに対応する位置に、それぞれ１個又は複数個設けたことを特徴とする。【００１４】
また、本発明のベッド装置のボトムにおいて、前記背ボトムには、前記湾曲ボトムを収容して摺動させる凹みが形成されていることを特徴とする。【００１５】
また、本発明のベッド装置のボトムにおいて、前記湾曲ボトムは、断面台形の細長い棒状部が幅方向に沿って、かつ、長さ方向に複数配列され、各棒状部が薄肉部で連結された蛇腹状の折曲げ自在な構成であることを特徴とする。【００１６】
また、本発明のベッド装置のボトムにおいて、さらに、膝を支える膝ボトムと、足を支える足ボトムとを備え、前記腰ボトム、前記膝ボトム、前記足ボトムも前記湾曲ボトムと同じ湾曲構造を有することを特徴とする。
【発明の効果】
【００１７】
本発明のベッド装置のボトムによれば、自ら伸縮する構造を有さない簡単な構造とすることができるので、軽量化を図ることができ、従来に比べて搬送性を向上できる。また、清掃において分解などの必要もなく、一般人にも簡単にできる。
【図面の簡単な説明】
【００１８】
【図１】（ａ）は本発明の実施形態に係るボトムが載置されるベッド装置の概略斜視図、（ｂ）は該ボトムの斜視図である。
【図２】ボトムの全体平面図である。
【図３】ボトムの背ボトムの平面図である。
【図４】（ａ）はボトムの腰ボトム、膝ボトム、足ボトムが一体になった所要部の平面図、（ｂ）は（ａ）のＢ−Ｂ線に沿う断面図である。
【図５】（ａ）は図３のＡ−Ａ線に沿う断面図、（ｂ）は図４（ａ）のＣ−Ｃ線に沿う足側部材の断面図である。
【図６】湾曲ボトムの断面図である。
【図７】背ボトムの背上げ動作を示す説明図である。
【図８】背上げ動作におけるベッドの動作を示す説明図である。
【図９】従来のベッドの一例を示す外観斜視図である。
【図１０】従来の湾曲ボトムを示す外観斜視図である。
【発明を実施するための形態】
【００１９】
以下、本発明の実施形態について、添付図面を参照して説明する。
【００２０】
図１（ａ）は本発明に係るボトムが搭載されるベッド装置の全体斜視図、（ｂ）がボトムの斜視図、図２〜図５はボトムの説明図である。
【００２１】
図１、図２に示すように、ベッド装置において、それに寝た状態の使用者の頭が向く頭側を符号「Ｈ」、該使用者の足が向く足側を符号「Ｆ」で示す。
【００２２】
図１（ａ）に示すように、ベッド装置は、主に、頭側及び足側に端部が向く長さ方向が幅方向よりも長い概略ラダー状構造の上部フレーム１０と、該上部フレーム１０上に載置されるボトム１２と、この上部フレーム１０の頭側及び足側の下部にそれぞれ設けられた、フロア面上に対して前記上部フレーム１０を昇降可能に支持する頭側昇降部１４Ｈ及び足側昇降部１４Ｆとを備えている。
【００２３】
上部フレーム１０の頭側及び足側の各部の下面側には、前記頭側昇降部１４Ｈ及び足側昇降部１４Ｆの上端部に当該上部フレーム１０を設置するための、前記ベッド装置の幅方向に長い概略矩形枠状の枠フレーム１６がそれぞれ固定されている。
【００２４】
図示しないが、昇降部１４Ｈ及び１４Ｆの下端同士は、連結フレームによって着脱可能に連結される。また、前記昇降部１４Ｈ及び１４Ｆにはそれぞれアクチュエータが設けられ、各アクチュエータの駆動力が別々に制御する構成であり、各アクチュエータの駆動制御によって上部フレーム１０が頭側及び足側同士の上下位置に差が付く傾動動作をさせることができる。
【００２５】
また、上部フレーム１０には、頭側に背上げ用のロッドと、中央部付近に膝上げ用のロッドが設けられている。またそれらを駆動するアクチュエータも設けられている。
【００２６】
図１〜図２に示すように、ボトム１２は、マットレス（概略を図１に符号「１８」で示す）を載せた状態で、使用者の荷重を支えるものである。ボトム１２は、使用者が頭と背を支える背ボトム１２ａ、腰を支える腰ボトム１２ｂ、腰から膝までを支える膝ボトム１２ｃ、膝から先の足を支える足ボトム１２ｄの各板状部からなる。
【００２７】
実施形態のベッド装置の上部フレーム１０には、その上部フレーム１０に備えられたボトム１２を起伏可能とする機構が設けられている。つまり、背上げ用のロッドでボトム１２の背ボトム１２ａを背上げ作動可能であると共に、膝上げ用のロッドで膝ボトム１２ｃ及び足ボトム１２ｄを膝上げ作動や足上げ作動が可能に構成されている。
【００２８】
ここで、ボトム１２は、背ボトム１２ａ、腰ボトム１２ｂ、膝ボトム１２ｃ、足ボトム１２ｄのそれぞれが厚みのある樹脂製の板材からなり、後に詳述するように各部の上面に凹所２０が凹んで形成されている。
【００２９】
該凹所２０形成箇所には、ボトム１２表面から裏面にかけての貫通孔２２が複数形成されている。これら複数の貫通孔２２はボトム１２の幅方向及び長さ方向に配列されている。前記貫通孔２２は、形状や個数が適宜であるが、実施形態では、図２に示すように、前記貫通孔２２は、幅方向に複数の円形、長円形（長軸が幅方向に沿う）を並べ、それらがボトム１２の長さ方向に複数配列されて形成されている。
【００３０】
また、前記ボトム１２には、上面に凹所２０が凹んで形成され、その凹所２０はボトム１２の幅方向中央部に形成される。具体的に、ボトム１２においては、背ボトム１２ａ、腰ボトム１２ｂ、膝ボトム１２ｃ、足ボトム１２ｄに連続する領域に凹所２０が凹んで形成されている。そして、ボトム１２の表面に、凹所２０は、全体的にボトム１２の周縁を残して形成されている。
【００３１】
すなわち、背ボトム１２ａの頭側端と、当該背ボトム１２ａ、腰ボトム１２ｂ、膝ボトム１２ｃ、足ボトム１２ｄの両側と、足ボトム１２ｄの足側端とに平坦な縁部２６を残して凹所２０が形成されている。つまり、前記凹所２０は、平坦な縁部２６に囲まれた内側に形成されており、ボトムの幅方向に適宜の寸法で形成可能であるが、前記凹所２０がボトム１２の幅の１／２〜４／５等が適切である。
【００３２】
また、前記凹所２０は、断面視する図４（ｂ）、図５に示すように、ボトム１２の背ボトム１２ａ、腰ボトム１２ｂ、膝ボトム１２ｃ、及び足ボトム１２ｄの各部の縁部２６等厚い部分の１／２以下の深さで形成されている。また、前記凹所２０の縁部２６から繋がる周辺が緩やかに平坦面に対して３０°〜５０°程度の角度が付いて面取されていて、使用者が寝るときに突き当たり感を防止している。
【００３３】
実施形態のベッド装置のボトム１２によれば、凹所２０がボトム１２の幅方向中央部に形成されているので、使用者がベッド装置上に寝たときに体の当たる部分が平坦に比べて緩和される。それと共に貫通孔２２でボトムの通気性を確保できるので、使用者が寝た場合の感触が良好になる。また、ボトム１２上のマットレスも凹所２０にはまりこんでボトム１２に対してズレにくく、ズレが防止できる。
【００３４】
ここで、図３に示すように背ボトム１２ａは単一部材として形成されている。背ボトム１２ａは、上部フレーム１０の回動自在な背上げ用ロッドに固定され、背上げ動作が可能となっている。背ボトム１２ａの表面には、腰ボトム側端部から湾曲ボトム２８全体が収まる連結用凹み３０が形成されている。そして、その連結用凹み３０のボトム幅方向中央に、ボトム長さ方向（湾曲ボトム２８の摺動方向）に長く形成された貫通長穴３０ａが形成されている。この部分に、後述するフランジ付きのピン体が長穴３０ａに沿って摺動するので、フランジ部分を挿通させるために、フランジ挿通孔３０ｂが長穴３０ａのボトム中央側端部に形成されている。
【００３５】
また、図４に示すように、各部のうちの腰ボトム１２ｂ、膝ボトム１２ｃ、及び足ボトム１２ｄが所要部であり、それら同士が連結部２４によって連結されて、全体が単一部材にて構成されている。該連結部２４が前記所要部と同材質でかつ所要部よりも薄く一体に形成されたものであり、腰ボトム１２ｂと膝ボトム１２ｃの間、膝ボトム１２ｃと足ボトム１２ｄの間に配置されている。腰ボトム１２ｂ、膝ボトム１２ｃ、及び足ボトム１２ｄの単一部材は、上部フレーム１０に位置決め固定されている。例えば、腰ボトム１２ｂの裏面には、位置決め部材が設けてあり、それによって動かないフレームに位置決めしてピンなどにより固定する。膝ボトム１２ｃや足ボトム１２ｄは、膝上げ動作や足上げ動作を行うので、上部フレーム１０には固定されていない。
なお、特に腰ボトム１２ｂだけが固定位置ではなく、ボトムの起伏動作に支障がなければ、どの部分を上部フレーム１０に固定しても構わない。
【００３６】
前記所要部の腰ボトム１２ｂには、頭側方向に、背ボトム１２ａに摺接して折曲げ可能に連結する湾曲ボトム２８が延在している。
【００３７】
この湾曲ボトム２８は、図４〜図６に示すように、断面台形の細長い棒状部３１がボトム１２の幅方向に沿っていて、かつ、ボトム１２の長さ方向に複数配列されており、各棒状部３１が薄肉部３２で連結された、概略すのこ（簀子）状または蛇腹状になっている。そして、湾曲ボトム２８は、この薄肉部３２で折曲げ自在として湾曲可能な構成としている。また、湾曲ボトム２８の厚さは、他のボトムより薄く形成され、図５（ｂ）に示すように、他のボトムの半分以下の厚さである。こうして、湾曲ボトム２８が、背ボトム１２ａの連結用凹み３０に収容されるように配置されると、湾曲ボトム２８が背ボトム１２ａの表面から飛び出る部分が少なくなり、連結用凹み３０を摺動するときに、スムーズに動くことができる。
【００３８】
湾曲ボトム２８の裏面には、背ボトム１２ａ側端部にフランジ付ピン体３３が取付けられている。このピン体３３のフランジ３３ａを背ボトム１２ａのフランジ挿通孔３０ｂに挿通させて、背ボトム１２ａの連結用凹み３０に湾曲ボトム２８を載置する。背ボトム１２ａの起伏動作に伴い、湾曲ボトム２８は、背ボトム１２ａの連結用凹み３０に収まってボトム１２の長さ方向に摺接移動するが、このときピン体３３のフランジ３３ａが背ボトム１２ａの裏面を摺動しながら、ピン体３３が長穴３０ａに沿って移動することになる。こうして、湾曲ボトム２８は、背ボトム１２ａの連結用凹み３０から離反することなく、互いに繋がりながら摺動することになる。（図３参照）
【００３９】
このピン体３３と、これに対応する長穴３０ａは、それぞれ一つに限らず、複数設けてもよいし、背ボトム１２ａにピン体、湾曲ボトム２８に長穴を形成してもよい。また、フランジが無くても構わない。また、背ボトム１２ａと湾曲ボトム２８には、ピン体や長穴ではない別の構造を設けてもよいし、またこのような摺動連結機構を設ける必要がなければそれでも構わない。
【００４０】
このようなベッドで背上げ動作を行う場合を図７に示す。背上げロッドによって、背ボトム１２ａは起き上がり動作をするが、一般的には、１支点を中心に回動するわけではなく、背ボトム１２ａが利用者の後方にズレながら（図では左方にずれる）回動して起き上がる動きをする。利用者に背上げのときの圧迫感や窮屈感を軽減するために行う動作であり、このような動作機構は、例えば特開２００５−８７６５２号公報などに開示されている。
【００４１】
腰ボトム１２ｂ、膝ボトム１２ｃ、及び足ボトム１２ｄを有する単一部材は、例えば腰ボトム１２ｂが上部フレーム１０に固定されているので、背ボトム１２ａの背上げ動作に追随はしない。したがって、腰ボトム１２ｂに連結している湾曲ボトム２８は、背ボトム１２ａの連結用凹み３０の表面を下方に摺動することになる。（図１(ａ)、(ｂ)参照）従来の湾曲ボトムは、背ボトム１２ａに連結されていたために、伸縮可能なものが必要であった。本実施形態の湾曲ボトム２８は、上述のような簡単な構造で湾曲可能とし、伸縮については、背ボトム１２ａの面上を摺接させることで、湾曲ボトム２８自体に伸縮構造を持つ必要がなく、構造を簡単なものにできる。
【００４２】
図８は、背上げ動作におけるベッド動作を示す説明図である。
この動作は、膝上げ動作と組み合わせて、ベッド使用者の負担をできるだけ軽減した背上げ動作の一例である。
【００４３】
まず、図８（ａ）に示すように、仰臥状態から、膝上げ動作を行う。膝ボトム１２ｃの足ボトム１２ｄ側が起き上がる。この場合、背ボトム１２ａ、湾曲ボトム２８、腰ボトム１２ｂに動作はない。このとき、湾曲ボトム２８のピン体３３は、背ボトム１２ａの長穴３０ａの端部であるフランジ挿通孔３０ｂに位置し、フランジ３３ａが挿通した状態にある。（図６、図３参照）
【００４４】
次に、図８（ｂ）に示すように、膝が１８°に上がった時に、背上げ動作を開始する。このとき、湾曲ボトム２８は、背ボトム１２ａの連結用凹み３０の表面を摺接しながら下方に移動をはじめる。背ボトム１２ａと腰ボトム１２ｂの間にある湾曲ボトム２８は、湾曲自在であるので、湾曲を始める。膝が２６度になった時点で膝上げ動作を停止し、背上げ動作を継続して背が４０°まで上げる。背が４０°になると、膝下げ動作を開始する。
【００４５】
図８（ｃ）に示すように、背上げ動作で背が７０°まで上がると同時に、膝下げ動作により膝が０°となる。これで背上げ動作は完了する。このとき湾曲ボトム２８のピン体３３は、背ボトム１２ａの長穴３０ａの下方端に達する。湾曲ボトム２８は、背ボトム１２ａと腰ボトム１２ｂの間で、最大に湾曲する。
【００４６】
このように、湾曲ボトム２８は、背ボトム１２ａの表面上を摺接しながら湾曲するので、従来と変わらず、使用者に圧迫感や窮屈感を与えないようにできる。また、湾曲ボトム２８は、自ら伸縮する構造を有さない簡単な蛇腹構造であるので、軽量化を図ることができて、従来に比べて搬送性を向上できる。また、板状構造なので、清掃も分解などの必要もなく、一般人にも簡単にできる。
【００４７】
なお、本実施形態は、湾曲ボトム２８のみを蛇腹構造としたが、膝ボトム１２ｃと足ボトム１２ｄの間も湾曲ボトム２８と同様の構造として屈曲させてもよい。さらには、腰ボトム１２ｂ、膝ボトム１２ｃ、足ボトム１２ｄも湾曲ボトム２８と同様の蛇腹構造としてもよい。この場合は、ボトム１２を巻き上げて持ち運びができ、搬送性を向上できる。またボトム１２を巻き上げることができるので、組み立て時にボトム固定などを行うときでも、簡単に巻き上げてフレーム位置などを確認し易くできる。
【産業上の利用可能性】
【００４８】
本発明のベッド装置のボトムは、在宅介護用ベッド装置、施設介護用ベッド装置、病院用ベッド装置等各種ベッド装置のボトムに利用することができる。
【符号の説明】
【００４９】
１０  上部フレーム
１２  ボトム
１２ａ  背ボトム
１２ｂ  腰ボトム
１２ｃ  膝ボトム
１２ｄ  足ボトム
２０  凹所
２２  貫通孔
２４  連結部
２６  縁部
２８  湾曲ボトム
３０  連結用凹み
３０ａ  長穴
３３  ピン体
【図１】
2014171253.tif 000003
【図２】
2014171253.tif 000004
【図３】
2014171253.tif 000005
【図４】
2014171253.tif 000006
【図５】
2014171253.tif 000007
【図６】
2014171253.tif 000008
【図７】
2014171253.tif 000009
【図８】
2014171253.tif 000010
【図９】
2014171253.tif 000011
【図１０】
2014171253.tif 000012
【国際調査報告】
2014171253.tif 000013
2014171253.tif 000014
2014171253.tif 000015
2014171253.tif 000016